(57)【特許請求の範囲】
【請求項１】
庫内に複数の断熱室が形成され、各断熱室に収容された商品を冷却して販売する自動販売機において、前記各断熱室の底板最下部に、断熱室内で生じたドレン水を捕集し断熱室外に排出するトラップ付かつ取手を兼用するリブ付きドレン受けを該底板最下部とバヨネット式構造でそれぞれ設置するとともに、前記各ドレン受けの排水口から排出されるドレン水を受け入れ蒸発処理容器に案内する樋を設けたことを特徴とする自動販売機。
【発明の詳細な説明】
【０００１】
【発明の属する技術分野】
この発明は缶入り飲料などの商品を冷却して販売する自動販売機における、庫内で発生したドレン水の処理技術に関する。
【０００２】
【従来の技術】
缶入り飲料などの商品を冷却して販売する自動販売機は広く普及されており、一般に１台の自動販売機で数種類の商品を販売する。この自動販売機は庫内に複数の断熱室が形成され、それぞれの断熱室に冷却器を備え、また断熱室内の商品ラックには各々異なった商品が収容される。しかして客の購買操作によって所定の商品ラックから冷却された商品を前面の商品取出口に送出し、客の要求に応えられるようなされている。
【０００３】
前記断熱室内では、商品の補充時侵入した外気内の水蒸気の凝結、あるいは商品に付着した水滴等によりドレン水が生じる。このドレン水は、前記冷却器と共に冷凍サイクルを構成し前記庫内下方に形成される機械室に配設される凝縮ユニットに隣接設置される蒸発皿に導かれ蒸発処理される。しかして各断熱室にはドレン水を蒸発皿に送るために、図４に示すドレン処理装置を備える。図４において、１は庫内に形成される断熱室、２は断熱室の底板である。この底板２は上面をすり鉢形に傾斜させその最下部に下向きに排水口２ａが設けられる。３はドレン処理装置で、上面の開口４１が排水口２ａに臨み、前記底板２の下方に突出する筒状部の下端に排水口４２を有するドレン受け４と、基端部５１が排水口４２に接続され、先端部が前述の蒸発皿に延びるホース５とで構成される。ホース５は基端部に近い部分を大きく下側に湾曲させてここに常時ドレン水を溜めトラップ６を形成するように敷設される。５２はホース５を底板２に支持させるための吊金具である。前述の複数の断熱室２にはそれぞれ上記ドレン処理装置３が設けられ前記機械室には各断熱室から導かれるホース５が配管され、蒸発皿には多数のホース５の先端が開口する。しかして、各断熱室内で生じたドレン水はそれぞれのドレン受け４に集められ、各ホース５を介して、またトラップ６を経由して蒸発皿に送り込まれ、蒸発皿で蒸発処理される。
【０００４】
【発明が解決しようとする課題】
ところで上記自動販売機はホース５によってトラップ６を形成するためのホース５の設置に格別の注意を要し手数がかかる。また底板２の下方の機械室に多数のホース５が敷設されるために、機械室内が煩雑になり、かつ大きな室内スペースを必要とする。更に多数のドレン受け４個々にホース５の接続配管作業を行わなければならず自動販売機の組立工数が増大する等の多くの難点があった。
【０００５】
この発明は前記難点を解決し極めて合理的に構成されたドレン処理装置を備える自動販売機を提供することを目的とする。
【０００６】
【課題を解決するための手段】
上記目的を達成するために、この発明によれば庫内に複数の断熱室が形成され、各断熱室に収容された商品を冷却して販売する自動販売機において、前記各断熱室の底板最下部に、断熱室内で生じたドレン水を捕集し断熱室外に排出するトラップ付ドレン受けをそれぞれ設置するとともに、前記各ドレン受けの排水口から排出されるドレン水を受け入れ蒸発処理容器に案内する樋を設けるものとする。
【０００７】
この発明によれば、ドレン受け内にトラップが形成されるので、トラップを形成するための作業や注意が不要であり、また各ドレン受けからのドレン水を１本の樋に集めて蒸発皿に送るので、多数のホースが排除される。従って機械室内は簡素化され、またスペースも小さくて足りる。
【０００８】
【発明の実施の形態】
図１ないし図３はこの発明の第１の実施例を示すもので図４と共通あるいは同一の部分には同じ符号で示す。図１ないし図３において、上面の開口４１が排水口２ａに臨み、かつ排水口４３を有するドレン受け４Ａは、排水口４３をドレン受け４Ａの底板より高くし、かつ排水口２ａの高さより下方に延びドレン水の入口側と出口側とを区画する隔壁６ａを設けて形成されるトラップ６Ａを内部に備え、プラスチック成形により形成される。上記ドレン受け４Ａは各断熱室２ごとに設けられ底板２の下方に各ドレン受け４Ａの排水口４３が一線に並ぶように取り付けられる。尚ドレン受け４Ａには、上面に開口４１を備える筒状部４０の外周面にフランジ４０ｆおよび爪４０ｐが設けられる一方、断熱室の底板２の外板に開口する筒状部４０の差し込み穴の穴縁には、前記爪４０ｐが挿通可能な切欠き２ｎが設けられており、これらでバヨネット式取付機構を構成している。また４４はドレン受け４Ａの取手を兼ねる補強リブであり、前述のバヨネット式取付機構によって、ドレン受け４Ａはリブ４４を持って筒状部４０を底板２の穴に差し込んで回転させるだけで、取付作業が工具を要せず容易に行われる。７は前記各排水口４３が上面上に臨むように設置される樋で、上流側端部に設けられたフック７１および下流側端部の突起７２によって機械室の構成部材に固定され、かつ前記下流側端部には前述の蒸発皿に臨む排水口７３が開口する。
【０００９】
前述の構成において、自動販売機は断熱室１内に生じたドレン水が底部に集められ排水口２ａを通してドレン受け４Ａに流れる。このドレン受け４Ａは前記ドレン水を樋７に流し出すとともに、トラップ６Ａによって、常時ドレン水をドレン受け４Ａの底部に一定水位まで溜めて、外気や害虫等がドレン水の排水路を通って断熱室１内に侵入するのを防止している。前記樋７は各断熱室のドレン受け４Ａからのドレン水を集め、排水口７３から蒸発皿に流出させる。このようにドレン処理装置３は各断熱室内に生じたドレン水を支障なく処理するとともに、その設置において、トラップを形成するための手数が注意を要せず、また機械室では１個の樋７によってドレン水を蒸発皿に送り込めるので設置作業が簡単になり、機械室内を簡素化し、室内スペースを縮小することも可能となる。
【００１０】
【発明の効果】
この発明によれば、庫内に複数の断熱室が形成され、各断熱室に収容された商品を冷却して販売する自動販売機において、前記各断熱室の底板最下部に、断熱室内で生じたドレン水を捕集し断熱室外に排出するトラップ付ドレン受けをそれぞれ設置するとともに、前記各ドレン受けの排水口から排出されるドレン水を受け入れ蒸発処理容器に案内する樋を設けるものとしたので、ドレン排水路に、ホースによるトラップ形成の手数、注意を必要とせず、また機械室内に敷設される多数のホースを排除することにより機械室内を簡素化し、かつ室内スペースの縮小をも可能となり、更に自動販売機の組立工程の短縮にもつながるドレン処理装置を備えた自動販売機を実現することができる。
【図面の簡単な説明】
【図１】この発明の第１の実施例を示す自動販売機の発明要部の断面図
【図２】図１に示す発明要部の斜視図
【図３】図１における樋の斜面図
【図４】従来の自動販売機におけるこの発明に係わる部分の断面図
【符号の説明】
１ 断熱室
２ 底板
３ ドレン処理装置
４ ドレン受け
４Ａ ドレン受け
６ トラップ
６Ａ トラップ
７ 樋
４２ 排水口
４３ 排水口
【図１】
0003556375.tif 000002
【図２】
0003556375.tif 000003
【図３】
0003556375.tif 000004
【図４】
0003556375.tif 000005